(57)【要約】【課題】ＯＮＵ５０の１つの物理ポートに互いに異なるサービスに係る端末が接続されている場合において、信号の振り分けを適切に行うこと。【解決手段】ＰＯＮシステム１は、第１のサービスに係る端末、及び、第２のサービスに係る端末が接続された電話アダプタ１００を介して、ＭＡＣアドレス及びＶＬＡＮ  ＩＤの少なくともいずれか一方を含む信号を受信する受信部１３と、信号の送信元からの信号の振り分け先を決定する決定部１４と、を備え、決定部１４は、受信部１３によって受信された信号に、電話アダプタ１００示すＭＡＣアドレスと第１のサービスに係る端末に関連付けられたＶＬＡＮ  ＩＤとが含まれている場合には、振り分け先を第１のサービスに係るルートに決定し、受信部１３によって受信された信号に、ＶＬＡＮ  ＩＤが含まれていない場合には、振り分け先を第２のサービスに係るルートに決定する。【選択図】図３
2020098976.tif 000002
【特許請求の範囲】
【請求項１】
局側装置と宅側装置とを有するＰＯＮシステムであって、
前記宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信する受信部と、
前記受信部によって受信された信号の内容に基づき、該信号の送信元からの信号の振り分け先を決定する決定部と、を備え、
前記決定部は、
前記受信部によって受信された信号に、前記ゲートウェイ端末を示すＭＡＣアドレスと前記第１のサービスに係る端末に関連付けられたＶＬＡＮ  ＩＤとが含まれている場合には、前記振り分け先を前記第１のサービスに係るルートに決定し、
前記受信部によって受信された信号に、前記ＶＬＡＮ  ＩＤが含まれていない場合には、前記受信部によって受信された信号に含まれているＭＡＣアドレスに関わらず、前記振り分け先を前記第２のサービスに係るルートに決定する、ＰＯＮシステム。
【請求項２】
前記決定部は、前記受信部によって受信された信号に、前記第１のサービスに係る端末に関連付けられていないＶＬＡＮ  ＩＤが含まれている場合には、該信号の送信元からの信号の転送を中止する、請求項１記載のＰＯＮシステム。
【請求項３】
前記第１のサービスは、ＰＯＮシステムを利用した電話サービスであり、
前記第２のサービスは、データ通信サービスであり、
前記ゲートウェイ端末は、前記第１のサービスに係る端末である電話機に接続可能な電話差込口と、前記第２のサービスに係る端末であるデータ通信用の端末に接続可能なＬＡＮ差込口とを有する電話アダプタである、請求項１又は２記載のＰＯＮシステム。
【請求項４】
前記電話サービスに係る信号は、前記データ通信サービスに係る信号よりも優先的に転送される、請求項３記載のＰＯＮシステム。
【請求項５】
局側装置と宅側装置とを有するＰＯＮシステムにおける制御方法であって、
前記宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信し、
受信した信号に、前記ゲートウェイ端末を示すＭＡＣアドレスと前記第１のサービスに係る端末に関連付けられたＶＬＡＮ  ＩＤとが含まれている場合には、受信した信号の送信元からの信号の振り分け先を前記第１のサービスに係るルートに決定し、
受信した信号に、前記ＶＬＡＮ  ＩＤが含まれていない場合には、受信した信号に含まれているＭＡＣアドレスに関わらず、受信した信号の送信元からの信号の振り分け先を前記第２のサービスに係るルートに決定する、制御方法。
【請求項６】
ＰＯＮシステムに含まれる局側装置であって、
第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を、宅側装置を介して受信する受信部と、
前記受信部によって受信された信号の内容に基づき、該信号の送信元からの信号の振り分け先を決定する決定部と、を備え、
前記決定部は、
前記受信部によって受信された信号に、前記ゲートウェイ端末を示すＭＡＣアドレスと前記第１のサービスに係る端末に関連付けられたＶＬＡＮ  ＩＤとが含まれている場合には、前記振り分け先を前記第１のサービスに係るルートに決定し、
前記受信部によって受信された信号に、前記ＶＬＡＮ  ＩＤが含まれていない場合には、前記受信部によって受信された信号に含まれているＭＡＣアドレスに関わらず、前記振り分け先を前記第２のサービスに係るルートに決定する、局側装置。
【請求項７】
ＰＯＮシステムに含まれる宅側装置であって、
第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を受信し局側装置に転送する第１転送部と、
前記局側装置における信号の振り分け先の決定結果に基づき信号を転送する第２転送部と、備え、
前記第２転送部は、
前記局側装置において、前記第１転送部によって転送された信号に前記ゲートウェイ端末を示すＭＡＣアドレスと前記第１のサービスに係る端末に関連付けられたＶＬＡＮ  ＩＤとが含まれているとして前記振り分け先が前記第１のサービスに係るルートに決定された場合には、前記第１転送部によって転送された信号の送信元からの信号を前記第１のサービスに係るルートに転送し、
前記局側装置において、前記第１転送部によって転送された信号に、前記ＶＬＡＮ  ＩＤが含まれていないとして前記振り分け先が前記第２のサービスに係るルートに決定された場合には、前記第１転送部によって転送された信号の送信元からの信号を前記第２のサービスに係るルートに転送する、宅側装置。
【発明の詳細な説明】
【技術分野】
【０００１】
本発明は、ＰＯＮシステム、制御方法、局側装置、及び宅側装置に関する。
【背景技術】
【０００２】
従来、ＦＴＴＨ（Fiber to the Home）等のサービスにおいて、光信号を複数に分岐して一心の光ファイバを複数ユーザで共有するＰＯＮ（Passive Optical Network）システムが利用されている。ＰＯＮシステムにおいては、例えば局側装置としてＯＬＴ（Optical Line Terminal）が用いられると共に宅側装置としてＯＮＵ（OpticalNetwork Unit）が用いられ、ＯＬＴとＯＮＵとの間に光信号を合分波する光スプリッタが設けられることにより、１つのＯＬＴに複数のＯＮＵが接続される。
【０００３】
ＯＮＵに互いに異なるサービスに係る複数の端末が接続される場合には、ＯＮＵの複数の物理ポートのそれぞれに対応して各サービスに係る端末が接続される。例えば、ＯＮＵのある物理ポートにはＰＣ（一般的なデータ通信サービスに係る端末）が接続され、ＯＮＵの別の物理ポートにはターミナルアダプタを介して電話（電話サービスに係る端末）が接続される。このような、一般的なデータ通信サービスと電話サービスとでＯＮＵの物理ポートが分かれた構成においては、例えば、ＯＬＴにＩＥＥＥ８０２．１ｘ認証の機能を実装すること、または、ＭＡＣアドレスによる認証（例えば特許文献１参照）の機能を実装することにより、各サービスに係る端末からの信号を各サービスに応じたルートに適切に振り分けることができる。
【先行技術文献】
【特許文献】
【０００４】
【特許文献１】特開２０１６−８２４９９号公報
【発明の概要】
【発明が解決しようとする課題】
【０００５】
ここで、通信キャリアによっては、ＯＮＵの１つの物理ポートに互いに異なるサービスに係る端末を接続したい場合がある。すなわち、例えばＯＮＵの１つの物理ポートにターミナルアダプタを介して電話（電話サービスに係る端末）及びＰＣ（一般的なデータ通信サービスに係る端末）の双方を接続したい場合がある。このような構成においては、ＯＮＵがターミナルアダプタ側から信号を受信した場合に、信号の送信元の端末に関わらず、信号の送信元のＭＡＣアドレスが全てターミナルアダプタのＭＡＣアドレスとなること（ケース１）、または、ＰＣ等が信号の送信元である場合には送信元のＭＡＣアドレスがＰＣ等のＭＡＣアドレスになること（ケース２）が考えられる。ケース１の場合、ＯＮＵは受信した信号をいずれのルート（サービスに応じたルート）に振り分ければよいのかを判断することができない。また、ケース２の場合、ＰＣ等のＭＡＣアドレスについてはＯＮＵが認知していないＭＡＣアドレスであるため、受信した信号を破棄してしまうことが考えられる。このように、ＯＮＵの１つの物理ポートに互いに異なるサービスに係る端末が接続された場合には、ＯＮＵにおいて適切なルートに信号を振り分けることができない。
【０００６】
本発明は上記実情に鑑みてなされたものであり、宅側装置の１つの物理ポートに互いに異なるサービスに係る端末が接続されている場合において、信号の振り分けを適切に行うことを目的とする。
【課題を解決するための手段】
【０００７】
本発明の一態様に係るＰＯＮシステムは、局側装置と宅側装置とを有するＰＯＮシステムであって、宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信する受信部と、受信部によって受信された信号の内容に基づき、該信号の送信元からの信号の振り分け先を決定する決定部と、を備え、決定部は、受信部によって受信された信号に、ゲートウェイ端末を示すＭＡＣアドレスと第１のサービスに係る端末に関連付けられたＶＬＡＮ  ＩＤとが含まれている場合には、振り分け先を第１のサービスに係るルートに決定し、受信部によって受信された信号に、ＶＬＡＮ  ＩＤが含まれていない場合には、受信部によって受信された信号に含まれているＭＡＣアドレスに関わらず、振り分け先を第２のサービスに係るルートに決定する。
【０００８】
本発明の一態様に係る制御方法は、局側装置と宅側装置とを有するＰＯＮシステムにおける制御方法であって、宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信し、受信した信号に、ゲートウェイ端末を示すＭＡＣアドレスと第１のサービスに係る端末に関連付けられたＶＬＡＮ  ＩＤとが含まれている場合には、受信した信号の送信元からの信号の振り分け先を第１のサービスに係るルートに決定し、受信した信号に、ＶＬＡＮ  ＩＤが含まれていない場合には、受信した信号に含まれているＭＡＣアドレスに関わらず、受信した信号の送信元からの信号の振り分け先を第２のサービスに係るルートに決定する。
【０００９】
本発明の一態様に係る局側装置は、ＰＯＮシステムに含まれる局側装置であって、第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を、宅側装置を介して受信する受信部と、受信部によって受信された信号の内容に基づき、該信号の送信元からの信号の振り分け先を決定する決定部と、を備え、決定部は、受信部によって受信された信号に、ゲートウェイ端末を示すＭＡＣアドレスと第１のサービスに係る端末に関連付けられたＶＬＡＮ  ＩＤとが含まれている場合には、振り分け先を第１のサービスに係るルートに決定し、受信部によって受信された信号に、ＶＬＡＮ  ＩＤが含まれていない場合には、受信部によって受信された信号に含まれているＭＡＣアドレスに関わらず、振り分け先を第２のサービスに係るルートに決定する。
【００１０】
本発明の一態様に係る宅側装置は、ＰＯＮシステムに含まれる宅側装置であって、第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を受信し局側装置に転送する第１転送部と、局側装置における信号の振り分け先の決定結果に基づき信号を転送する第２転送部と、備え、第２転送部は、局側装置において、第１転送部によって転送された信号にゲートウェイ端末を示すＭＡＣアドレスと第１のサービスに係る端末に関連付けられたＶＬＡＮ  ＩＤとが含まれているとして振り分け先が第１のサービスに係るルートに決定された場合には、第１転送部によって転送された信号の送信元からの信号を第１のサービスに係るルートに転送し、局側装置において、第１転送部によって転送された信号に、ＶＬＡＮ  ＩＤが含まれていないとして振り分け先が第２のサービスに係るルートに決定された場合には、第１転送部によって転送された信号の送信元からの信号を第２のサービスに係るルートに転送する。
【発明の効果】
【００１１】
上記によれば、宅側装置の１つの物理ポートに互いに異なるサービスに係る端末が接続されている場合において、信号の振り分けを適切に行うことができる。
【図面の簡単な説明】
【００１２】
【図１】図１は、一実施形態に係るＰＯＮシステムのシステム構成図である。
【図２】図２は、ＯＬＴ〜電話アダプタに接続された各端末間の接続構成を模式的に示す図である。
【図３】図３は、ＯＬＴ及びＯＮＵの機能ブロック図である。
【図４】図４は、ＰＯＮシステムにおける処理を示すシーケンス図である。
【図５】図５は、ＯＬＴにおける処理を示すフローチャートである。
【図６】図６は、比較例に係る接続構成を模式的に示す図である。
【図７】図７は、本実施形態に係るＰＯＮシステムの作用効果を説明する図である。
【図８】図８は、変形例に係る電話アダプタを模式的に示す図である。
【発明を実施するための形態】
【００１３】
［本願発明の実施形態の説明］
最初に本発明の実施形態を列記して説明する。本発明の一態様に係るＰＯＮシステムは、局側装置と宅側装置とを有するＰＯＮシステムであって、宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信する受信部と、受信部によって受信された信号の内容に基づき、該信号の送信元からの信号の振り分け先を決定する決定部と、を備え、決定部は、受信部によって受信された信号に、ゲートウェイ端末を示すＭＡＣアドレスと第１のサービスに係る端末に関連付けられたＶＬＡＮ  ＩＤとが含まれている場合には、振り分け先を第１のサービスに係るルートに決定し、受信部によって受信された信号に、ＶＬＡＮ  ＩＤが含まれていない場合には、受信部によって受信された信号に含まれているＭＡＣアドレスに関わらず、振り分け先を第２のサービスに係るルートに決定する。
【００１４】
本発明の一態様に係るＰＯＮシステムによれば、宅側装置に接続されたゲートウェイ端末に第１のサービスに係る端末及び第２のサービスに係る端末が接続されている構成、すなわち、宅側装置の１つの物理ポートに対してゲートウェイ端末を介して互い異なるサービスの複数の端末が接続されている構成において、受信された信号に含まれるＭＡＣアドレス及びＶＬＡＮ  ＩＤに基づいて信号の振り分け先が決定される。具体的には、信号にゲートウェイ端末を示すＭＡＣアドレスと第１のサービスに係る端末に関連付けられたＶＬＡＮ  ＩＤとが含まれている場合には振り分け先が第１のサービスに係るルートに決定される。このように、例えばＭＡＣアドレスが必ずゲートウェイ端末のＭＡＣアドレスになる端末であって予めＶＬＡＮ  ＩＤに紐づけられる端末（例えば電話機）については、ＭＡＣアドレス及びＶＬＡＮ  ＩＤに基づき、信号の送信元が当該端末であることが特定できるため、ＭＡＣアドレス及びＶＬＡＮ  ＩＤに基づいて信号の送信元を適切に判別し、当該端末からの信号を当該端末に係るサービスのルートに適切に振り分けることができる。また、ＭＡＣアドレス及びＶＬＡＮ  ＩＤを考慮することによって、予めＶＬＡＮ  ＩＤに関連付けている端末以外の端末（悪意のある端末）が接続されていないことを適切に判別することができ、宅側装置〜第１のサービスに係る端末間の紐づけ（第１のサービスに係る端末の位置固定）を確実に行なうことができる。さらに、本発明の一態様に係るＰＯＮシステムでは、信号にＶＬＡＮ  ＩＤが含まれていない場合には、ＭＡＣアドレスに関わらず振り分け先が第２のサービスに係るルートに決定される。例えば、ＰＣ等のデータ通信サービスに係る端末から送信された信号については、ゲートウェイ端末の種類によって、該信号に含まれるＭＡＣアドレスがゲートウェイ端末のＭＡＣアドレスになること、及び、該信号に含まれるＭＡＣアドレスが送信元であるＰＣ等の端末のＭＡＣアドレスになることの双方が考えられる。このため、このような信号については、ＭＡＣアドレスに基づきルートを決定することができないおそれがある。この点、このような信号を送信し得る端末についてはＶＬＡＮ  ＩＤに関連付けず（すなわち、該端末から送信された信号にはＶＬＡＮ  ＩＤが含まれない構成とし）、ＭＡＣアドレスを考慮せずにＶＬＡＮ  ＩＤが含まれないことをもって振り分け先を決定する（例えばデータ通信サービスに係るルートとする）ことにより、ＰＣ等の端末から送信された信号のように送信元のＭＡＣアドレスが一意に定まらない信号についても、当該端末に係るサービスのルートに適切に振り分けることができる。以上のように、本発明の一態様に係るＰＯＮシステムによれば、宅側装置の１つの物理ポートに互いに異なるサービスに係る端末が接続されている場合において、信号の振り分けを適切に行うことができる。
【００１５】
決定部は、受信部によって受信された信号に、第１のサービスに係る端末に関連付けられていないＶＬＡＮ  ＩＤが含まれている場合には、該信号の送信元からの信号の転送を中止してもよい。これにより、宅側装置〜第１のサービスに係る端末間で紐づけを行いたい端末（例えば位置固定をしたい電話機）を用いる場合において、悪意のある端末が接続された場合、ＶＬＡＮ  ＩＤを管理するゲートウェイ端末が故障した場合等において、信号の転送を中止することができる。すなわち、端末の位置固定が適切に行われていない可能性がある場合において信号が転送されることを防止することができる。
【００１６】
ＰＯＮシステムでは、第１のサービスは、ＰＯＮシステムを利用した電話サービスであり、第２のサービスは、データ通信サービスであり、ゲートウェイ端末は、第１のサービスに係る端末である電話機に接続可能な電話差込口と、第２のサービスに係る端末であるデータ通信用の端末に接続可能なＬＡＮ差込口とを有する電話アダプタであってもよい。これにより、宅側装置の１つの物理ポートに対し電話アダプタを介して、電話サービスに係る端末及びＰＣ等のデータ通信サービスに係る端末が接続されている構成において、これらのサービスを共存させて、信号の振り分けを適切に行うことができる。
【００１７】
ＰＯＮシステムにおいて、電話サービスに係る信号は、データ通信サービスに係る信号よりも優先的に転送されてもよい。これにより、ユーザにとって優先度が高いと考えられる電話サービスを適切に提供することができる。
【００１８】
本発明の一態様に係る制御方法は、局側装置と宅側装置とを有するＰＯＮシステムにおける制御方法であって、宅側装置に接続されると共に、第１のサービスに係る端末、及び、該第１のサービスとは異なる第２のサービスに係る端末が接続されたゲートウェイ端末を介して、ＭＡＣアドレス及びＶＬＡＮ  ＩＤの少なくともいずれか一方を含む信号を受信し、受信した信号に、ゲートウェイ端末を示すＭＡＣアドレスと第１のサービスに係る端末に関連付けられたＶＬＡＮ  ＩＤとが含まれている場合には、受信した信号の送信元からの信号の振り分け先を第１のサービスに係るルートに決定し、受信した信号に、ＶＬＡＮ  ＩＤが含まれていない場合には、受信した信号に含まれているＭＡＣアドレスに関わらず、受信した信号の送信元からの信号の振り分け先を第２のサービスに係るルートに決定する。このような制御方法によれば、宅側装置の１つの物理ポートに互いに異なるサービスに係る端末が接続されている場合において、信号の振り分けを適切に行うことができる。
【００１９】
本発明の一態様に係る局側装置は、ＰＯＮシステムに含まれる局側装置であって、第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を、宅側装置を介して受信する受信部と、受信部によって受信された信号の内容に基づき、該信号の送信元からの信号の振り分け先を決定する決定部と、を備え、決定部は、受信部によって受信された信号に、ゲートウェイ端末を示すＭＡＣアドレスと第１のサービスに係る端末に関連付けられたＶＬＡＮ  ＩＤとが含まれている場合には、振り分け先を第１のサービスに係るルートに決定し、受信部によって受信された信号に、ＶＬＡＮ  ＩＤが含まれていない場合には、受信部によって受信された信号に含まれているＭＡＣアドレスに関わらず、振り分け先を第２のサービスに係るルートに決定する。このような局側装置によれば、宅側装置の１つの物理ポートに互いに異なるサービスに係る端末が接続されている場合において、信号の振り分けを適切に行うことができる。
【００２０】
本発明の一態様に係る宅側装置は、ＰＯＮシステムに含まれる宅側装置であって、第１のサービスに係る端末、及び、該第１のサービスとは異なる第２のサービスに係る端末が接続されたゲートウェイ端末から、ＭＡＣアドレス及びＶＬＡＮ  ＩＤの少なくともいずれか一方を含む信号を受信し局側装置に転送する第１転送部と、局側装置における信号の振り分け先の決定結果に基づき信号を転送する第２転送部と、備え、第２転送部は、局側装置において、第１転送部によって転送された信号にゲートウェイ端末を示すＭＡＣアドレスと第１のサービスに係る端末に関連付けられたＶＬＡＮ  ＩＤとが含まれているとして振り分け先が第１のサービスに係るルートに決定された場合には、第１転送部によって転送された信号の送信元からの信号を第１のサービスに係るルートに転送し、局側装置において、第１転送部によって転送された信号に、ＶＬＡＮ  ＩＤが含まれていないとして振り分け先が第２のサービスに係るルートに決定された場合には、第１転送部によって転送された信号の送信元からの信号を第２のサービスに係るルートに転送する。このような宅側装置によれば、宅側装置の１つの物理ポートに互いに異なるサービスに係る端末が接続されている場合において、信号の振り分けを適切に行うことができる。
【００２１】
［本発明の実施形態の詳細］
本発明の実施形態に係るＰＯＮシステムの具体例を、以下に図面を参照しつつ説明する。なお、説明において、同一要素又は同一機能を有する要素には、同一符号を用いることとし、重複する説明は省略する。
【００２２】
図１は、本実施形態に係るＰＯＮシステム１のシステム構成図である。ＰＯＮシステム１は、ＦＴＴＨサービスの提供において、光信号を複数に分岐して一心の光ファイバを複数ユーザで共有するネットワークシステムである。図１に示されるように、ＰＯＮシステム１は、ＯＬＴ１０（局側装置）と、複数のＯＮＵ５０（宅側装置）と、ＤＨＣＰ（Dynamic Host Configuration Protocol）サーバー６０及びＴＦＴＰ（Trivial File Transfer Protocol）サーバー７０を含むプロビジョニングサーバー８０とを備える。ＯＬＴ１０及び複数のＯＮＵ５０は、ＦＴＴＨネットワークＮＷを介して互いに接続されている。
【００２３】
ＤＨＣＰサーバー６０は、ＯＬＴ１０からＤＨＣＰ情報要求を受信し、ＯＮＵ５０に設定されるＩＰアドレスを割り当てるサーバーである。ＴＦＴＰサーバー７０は、ＯＬＴ１０からコンフィグファイル要求を受信し、ＯＬＴ１０に対してコンフィグファイルを転送するサーバーである。コンフィグファイルの詳細については後述する。
【００２４】
ＯＬＴ１０及び複数のＯＮＵ５０の詳細について、図２及び図３も参照しながら説明する。図２は、ＯＬＴ１０〜電話アダプタ１０に接続された各端末間の接続構成を模式的に示す図である。図３は、ＯＬＴ１０及びＯＮＵ５０の機能ブロック図である。
【００２５】
図２に示されるように、ＯＮＵ５０の１つの物理ポートには、電話アダプタ１００（ゲートウェイ端末）が接続されている。電話アダプタ１００は、例えばターミナルアダプタである。なお、電話アダプタ１００は、ターミナルアダプタのようにルーティング機能を有した構成でなくてもよく、ルーティング機能を有さないスイッチであってもよい。電話アダプタ１００は、電話機に接続可能なモジュラージャック１０１（電話差込口）と、データ通信用の端末に接続可能なＬＡＮ差込口１０２，１０３とを有している。なお、電話アダプタ１００は、さらに複数のモジュラージャック及び／又はＬＡＮ差込口を有していてもよい。モジュラージャック１０１には、電話機１１０が接続されている。電話アダプタ１００は、モジュラージャック１０１に入力されたアナログ信号をデジタル変換する機能を有している。ＬＡＮ差込口１０２には、データ通信用の端末の一例としてＰＣ１２０が接続されている。ＬＡＮ差込口１０３には、データ通信用の端末の一例としてフェムトセル１３０が接続されている。フェムトセル１３０とは、半径数メートルから数十メートルの無線通信エリアを構築する超小型基地局である。このように、ＯＮＵ５０の１つの物理ポートに接続された電話アダプタ１００には、互いに異なるサービスに係る複数の端末が接続されている。すなわち、電話アダプタ１００には、ＰＯＮシステムを利用した電話サービス（第１のサービス）に係る端末である電話機１１０と、データ通信サービス（第２のサービス）に係る端末であるＰＣ１２０及びフェムトセル１３０とが接続されている。
【００２６】
図３に示されるように、ＯＬＴ１０は、その機能として、取得部１１と、記憶部１２と、受信部１３と、決定部１４とを備えている。また、ＯＮＵ５０は、その機能として、第１転送部５１と、第２転送部５２とを備えている。なお、ここでのＯＬＴ１０及びＯＮＵ５０の機能とは、電話アダプタ１００からの信号の振り分けに係る機能を意味しており、その他のＯＬＴ１０及びＯＮＵ５０の一般的な機能を含んでいない。すなわち、図３に示される機能ブロックには、ＯＬＴ１０及びＯＮＵ５０についての電話アダプタ１００からの信号の振り分けに係る機能を示している。
【００２７】
ＯＬＴ１０の取得部１１は、ＤＨＣＰサーバー６０及びＴＦＴＰサーバー７０から、電話アダプタ１００からの信号の振り分けに必要となる情報を取得する。取得部１１は、ＯＬＴ１０においてＯＮＵ５０の認証（登録）が完了したことを契機として、ＤＨＣＰサーバー６０にＤＨＣＰ情報要求を送信し、ＤＨＣＰサーバー６０からＯＮＵ５０のＩＰアドレスを取得する。また、取得部１１は、ＯＬＴ１０においてＯＮＵ５０の認証（登録）が完了したことを契機として、ＴＦＴＰサーバー７０にコンフィグファイル要求を送信し、ＴＦＴＰサーバー７０からコンフィグファイルをダウンロードする。コンフィグファイルには、対象のＯＮＵ５０に接続された電話アダプタ１００の配下の端末についての設定情報（予め設定された情報）が規定されている。具体的には、コンフィグファイルには、電話サービスに係る端末（例えば電話機１１０）の設定情報と、データ通信サービスに係る端末（例えばＰＣ１２０及びフェムトセル１３０）の設定情報とが規定されている。
【００２８】
電話サービスに係る端末の設定情報とは、例えば、端末が接続されている電話アダプタ１００のＭＡＣアドレス、電話アダプタ１００において電話機１１０用に割り振られるＶＬＡＮ  ＩＤ（Virtual LAN IDentifier）、及び、優先制御等の通信情報である。ＶＬＡＮ  ＩＤとは、物理的な一つのＬＡＮを複数の仮想的なＬＡＮに分割するＶＬＡＮにおいて各ＶＬＡＮを識別するための番号である。本実施形態の構成では、電話アダプタ１００において、電話機１１０用にのみＶＬＡＮ  ＩＤが割り振られており、その他の構成に対してはＶＬＡＮ  ＩＤが割り振られていない。また、本実施形態の構成では、優先制御等の通信情報において、電話サービスに係る信号がデータ通信サービスに係る信号よりも優先的に転送されるように規定されている。データ通信サービスに係る端末の設定情報とは、例えば、通信速度等の通信情報、及び、電話アダプタ１００以外のＭＡＣアドレスの信号をデータ通信サービスに係るルート（以下、「データ通信サービスフロー」と記載する場合がある）に転送することを規定した情報である。
【００２９】
記憶部１２は、取得部１１によって取得された情報を記憶する。記憶部１２は、ＯＮＵ５０の情報を規定したＯＮＵテーブルと、電話アダプタ１００の情報を規定した電話アダプタテーブルとを記憶している。ＯＮＵテーブルでは、ＯＮＵ５０のＭＡＣアドレス、ＩＰアドレス、及び上述したコンフィグファイルの情報が紐づけて規定されている。電話アダプタテーブルでは、上述したコンフィグファイルの情報、すなわち、電話サービスに係る端末の設定情報（端末が接続されている電話アダプタ１００のＭＡＣアドレス、電話アダプタ１００において電話機１１０用に割り振られているＶＬＡＮ  ＩＤ、及び優先制御等の通信情報）と、データ通信サービスに係る端末の設定情報（通信速度等の通信情報、及び、電話アダプタ１００以外のＭＡＣアドレスの信号をデータ通信サービスフローに転送することを規定した情報）とが紐づけて規定されている。なお、コンフィグファイルについては、必ずしも取得部１１によって取得されるものでなくてもよく、何らかの手段によってＯＬＴ１０に設定されるものであればよい。
【００３０】
受信部１３は、ＯＮＵ５０を介して、電話アダプタ１００から、ＭＡＣアドレス認証要求（信号）を受信する。ＭＡＣアドレス認証要求には、送信元を示すＭＡＣアドレスが含まれている。また、送信元に関してＶＬＡＮ  ＩＤが設定されている場合に限り、ＭＡＣアドレス認証要求には、ＶＬＡＮ  ＩＤが含まれている。
【００３１】
決定部１４は、受信部１３によって受信されたＭＡＣアドレス認証要求の内容に基づき、ＭＡＣアドレス認証要求の送信元からの信号の振り分け先を決定する。ＭＡＣアドレス認証要求の送信元とは、例えば電話サービスの場合には電話機１１０（又は電話機１１０に接続された電話アダプタ１００）であり、データ通信サービスの場合にはＰＣ１２０又はフェムトセル１３０である。
【００３２】
決定部１４は、受信部１３によって受信されたＭＡＣアドレス認証要求に、電話アダプタ１００を示すＭＡＣアドレスと電話機１１０に関連付けられたＶＬＡＮ  ＩＤとが含まれている場合には、当該ＭＡＣアドレス認証要求の送信元を電話機１１０（又は電話機１１０に接続された電話アダプタ１００）であると特定し、当該送信元からの信号の振り分け先を電話サービスに係るルート（以下、「電話サービスフロー」と記載する場合がある）に決定する。また、決定部１４は、受信部１３によって受信されたＭＡＣアドレス認証要求に、ＶＬＡＮ  ＩＤが含まれていない場合には、受信部１３によって受信されたＭＡＣアドレス認証要求に含まれているＭＡＣアドレスに関わらず、該ＭＡＣアドレス認証要求の送信元からの信号の振り分け先をデータ通信サービスフローに決定する。例えば、ＰＣ１２０がＭＡＣアドレス認証要求の送信元である場合においては、電話アダプタ１００の種類によって、ＭＡＣアドレス認証要求に含まれるＭＡＣアドレスが電話アダプタ１００のＭＡＣアドレスである場合とＰＣ１２０のＭＡＣアドレスである場合とがあり得る。このように、送信元を特定することができない場合があるため、ＭＡＣアドレスのみによって適切に信号の振り分け先を決定することは困難である。この点、ＭＡＣアドレスが必ず電話アダプタ１００のＭＡＣアドレスとなる電話機１１０についてはＶＬＡＮ  ＩＤに関連付けると共に、ＭＡＣアドレスが一意に特定されないデータ通信サービスに係る端末（ＰＣ１２０及びフェムトセル１３０）についてはＶＬＡＮ  ＩＤに関連付けないことによって、信号にＶＬＡＮ  ＩＤが含まれるか否かによって送信元が電話サービスに係る端末であるか、又は、データ通信サービスに係る端末であるかを特定することができる。すなわち、決定部１４は、信号にＶＬＡＮ  ＩＤが含まれていない場合には、ＭＡＣアドレスを考慮せずに、該信号の送信元からの信号の振り分け先をデータ通信サービスフローに決定することができる。
【００３３】
また、決定部１４は、受信部１３によって受信された信号に、電話サービスに係る端末である電話機１１０に関連付けられていないＶＬＡＮ  ＩＤが含まれている場合には、該信号の送信元からの信号を破棄し、信号の転送を中止する。
【００３４】
ＯＮＵ５０の第１転送部５１は、電話アダプタ１００から上述したＭＡＣアドレス認証要求（信号）を受信しＯＬＴ１０に転送する。また、第２転送部５２は、ＯＬＴ１０における信号の振り分け先の決定結果に基づき、信号を転送（ＯＬＴ１０に転送）する。具体的には、第２転送部５２は、ＯＬＴ１０において、第１転送部５１によって転送されたＭＡＣアドレス認証要求に、電話アダプタ１００を示すＭＡＣアドレスと電話機１１０に関連付けられたＶＬＡＮ  ＩＤとが含まれているとして振り分け先が電話サービスフローに決定された場合には、第１転送部５１によって転送された信号の送信元からの信号を電話サービスフローに転送する。また、第２転送部５２は、ＯＬＴ１０において、第１転送部５１によって転送された信号に、ＶＬＡＮ  ＩＤが含まれていないとして振り分け先がデータ通信サービスフローに決定された場合には、第１転送部５１によって転送された信号の送信元からの信号をデータ通信サービスフローに転送する。
【００３５】
次に、図４を参照して、ＰＯＮシステム１における処理について説明する。ここでのＰＯＮシステム１における処理とは、新規にＯＮＵ５０を認証（登録）した後に該ＯＮＵ５０を介して電話サービスを提供する場合の処理を示している。なお、図４においては、ＰＯＮシステム１の構成として説明していない構成の処理についても一部、示している。
【００３６】
図４に示されるように、最初にＯＮＵ５０の電源がＯＮされる（ステップＳ１）。そして、当該ＯＮＵ５０の電源がＯＮされることに伴って、電話アダプタ１００の電源がＯＮされる（ステップＳ２）。なお、電話アダプタ１００の電源は、ＯＮＵ５０と同じでもよいし違ってもよい。また、電話アダプタ１００の電源は、後述するステップＳ１１の処理までにＯＮされていればよい。
【００３７】
ＯＮＵ５０の電源がＯＮされると、ＯＬＴ１０（詳細にはＯＬＴ１０におけるＥＰＯＮに関する機能）は、該ＯＮＵ５０に対してＯＮＵ認証要求を送信する（ステップＳ３）。ＯＮＵ５０は、該ＯＮＵ認証要求を受信すると、ＯＬＴ１０に対してＯＮＵ認証応答を送信する（ステップＳ４）。これにより、ＯＮＵ５０の認証（登録）が完了し、ＯＬＴ１０とＯＮＵ５０とが紐づく。ＯＬＴ１０のＥＰＯＮに関する機能は、ＯＬＴ１０における専用のソフトウェア（バーチャルケーブルモデム）に対してＯＮＵ登録完了通知を送信する（ステップＳ５）。ＯＬＴ１０は、プロビジョニングサーバー８０に含まれるＤＨＣＰサーバー６０に対してＤＨＣＰ情報要求を送信する（ステップＳ６）。ＤＨＣＰサーバー６０は、該ＤＨＣＰ情報要求を受信すると、ＯＬＴ１０に対してＤＨＣＰ情報応答を送信する（ステップＳ７）。これにより、ＯＬＴ１０は、ＤＨＣＰサーバー６０からＯＮＵ５０のＩＰアドレスを取得する。つづいて、ＯＬＴ１０は、プロビジョニングサーバー８０に含まれるＴＦＴＰサーバー７０に対してコンフィグファイル要求を送信し（ステップＳ８）。ＴＦＴＰサーバー７０からコンフィグファイルをダウンロードする（ステップＳ９）。これにより、ＯＬＴ１０は、ＴＦＴＰサーバー７０から、ＯＮＵ５０の配下の、電話サービスに係る端末（電話機１１０）の設定情報と、データ通信サービスに係る端末（ＰＣ１２０及びフェムトセル１３０）の設定情報とを取得する。
【００３８】
つづいて、ＯＬＴ１０は、ＯＮＵ５０に対してＯＮＵ５０のＩＰアドレスを送信しＯＮＵ設定を行う（ステップＳ１０）。これにより、ＯＮＵ５０のＩＰアドレスとＭＡＣアドレスとが紐づけて設定され、ＯＮＵ５０においてオンラインデータ通信が可能になる。ここまでの設定によって、電話サービスフロー及びデータ通信サービスフローの設定、ＥＰＯＮ論理リンクの生成、ＭＡＣアドレス／ＶＬＡＮ認証の設定が完了する。
【００３９】
そして、例えば電話サービスが利用される場合には、最初に、電話アダプタ１００からＯＮＵ５０にＭＡＣアドレス認証要求が送信され（ステップＳ１１）、該ＭＡＣアドレス認証要求がＯＮＵ５０からＯＬＴ１０に転送される（ステップＳ１２）。ＯＬＴ１０は、マックドレス認証要求に含まれるＭＡＣアドレス及びＶＬＡＮの情報に基づいて、ＭＡＣアドレス認証要求の送信元からの信号の振り分け先を決定する（ステップＳ１３）。いま、電話サービスに係る電話アダプタ１００からのＭＡＣアドレス認証要求には、電話アダプタ１００のＭＡＣアドレスと、電話機１１０に関連付けられたＶＬＡＮ  ＩＤ（設定済みの、適切なＶＬＡＮ  ＩＤ）とが含まれているとする。この場合、ＯＬＴ１０は、電話アダプタ１００が送信元である信号の振り分け先を電話サービスフローに決定する。ＯＬＴ１０からＯＮＵ５０にＭＡＣアドレス認証応答が送信され（ステップＳ１４）、該ＭＡＣアドレス認証応答がＯＮＵ５０から電話アダプタ１０に転送される（ステップＳ１５）。
【００４０】
電話アダプタ１０は、ＭＡＣアドレス認証応答を受信すると、電話用サーバーにＤＨＣＰ要求又はＰＰＰｏＥ(Point-to-Point Protocol over Ethernet)による接続要求を行い、電話サービスフローの経路を生成する（ステップＳ１６）。そして、電話アダプタ１０は、電話用サーバーからＩＰアドレスが付与（設定）される（ステップＳ１７）。さらに、電話アダプタ１０は電話用サーバー（詳細にはＳＩＰ（Session Initiation Protocol）サーバー）に電話設定情報要求を行い（ステップＳ１８）、電話用サーバーから通話可能通知（ステップＳ１９）を受信する。ここまでの処理が完了すると、電話アダプタ１０に接続された電話機１１０は通話が可能となり、ＯＮＵ５０，ＯＬＴ１０，及び電話用サーバーを介して、通話相手と通話を行う（ステップＳ２０〜Ｓ２２）。
【００４１】
次に、図５を参照して、ＯＬＴにおいて行われる、振り分け先決定処理（上述したステップＳ１３）の詳細について説明する。図５は、ＯＬＴにおける振り分け先決定処理を示すフローチャートである。
【００４２】
図５に示されるように、ＯＬＴ１０は、ＯＮＵ５０を介して、電話アダプタ１００から、ＭＡＣアドレス認証要求（信号）を受信する（ステップＳ１３１）。つづいて、ＯＬＴ１０は、ＭＡＣアドレス認証要求にＶＬＡＮ  ＩＤが含まれているか否かを判定する（ステップＳ１３２）。ステップＳ１３２においてＶＬＡＮ  ＩＤが含まれていないと判定した場合には、ＯＬＴ１０は、ＭＡＣアドレス認証要求の送信元からの信号の振り分け先をデータ通信サービスフローに決定する（ステップＳ１３３）。
【００４３】
ステップＳ１３２においてＶＬＡＮ  ＩＤが含まれていると判定した場合には、ＯＬＴ１０は、ＭＡＣアドレス認証要求に、電話アダプタ１００を示すＭＡＣアドレスと電話機１１０（すなわち電話アダプタ１００）に関連付けられたＶＬＡＮ  ＩＤとが含まれているか否かを判定する（ステップＳ１３４）。ステップＳ１３４において、ＭＡＣアドレス認証要求に、電話アダプタ１００を示すＭＡＣアドレスと電話機１１０（すなわち電話アダプタ１００）に関連付けられたＶＬＡＮ  ＩＤとが含まれていない（例えば異なるＶＬＡＮ  ＩＤが含まれている）と判定した場合には、ＯＬＴ１０は、送信元が悪意のある端末等であるとして、当該送信元からの信号の転送の中心を決定する（ステップＳ１３５）。一方で、ステップＳ１３４において、ＭＡＣアドレス認証要求に、電話アダプタ１００を示すＭＡＣアドレスと電話機１１０（すなわち電話アダプタ１００）に関連付けられたＶＬＡＮ  ＩＤとが含まれていると判定した場合には、ＯＬＴ１０は、ＭＡＣアドレス認証要求の送信元からの信号の振り分け先を電話サービスフローに決定する（ステップＳ１３６）。以上が振り分け先決定処理である。
【００４４】
次に、本実施形態の作用効果について説明する。
【００４５】
図６は、比較例に係る接続構成を示す図である。図６に示される比較例の接続構成のように、従来、ＯＮＵ５０ｘに対して互いに異なるサービスに係る複数の端末が接続される場合には、ＯＮＵ５０ｘの複数の物理ポートのそれそれに対して各サービスに係る端末が接続される。例えば、図６では、ＯＮＵ５０ｘのある物理ポートにはＰＣ（一般的なデータ通信サービスに係る端末）が接続され、ＯＮＵ５０ｘの別の物理ポートには電話アダプタ１００を介して電話機１１０（電話サービスに係る端末）が接続される。このような、一般的なデータ通信サービスと電話サービスとでＯＮＵの物理ポートが分かれた構成においては、例えば、ＯＬＴにＩＥＥＥ８０２．１ｘ認証の機能を実装すること、または、ＭＡＣアドレスによる認証機能を実装することにより、各サービスに係る端末からの信号を各サービスに応じたルートに適切に振り分けることができる。
【００４６】
ここで、通信キャリアによっては、ＯＮＵの１つの物理ポートに互いに異なるサービスに係る端末を接続したい場合がある。すなわち、例えばＯＮＵの１つの物理ポートに電話アダプタを介して電話機（電話サービスに係る端末）及びＰＣ（一般的なデータ通信サービスに係る端末）の双方を接続したい場合がある。このような構成においては、ＯＮＵが電話アダプタ側から信号を受信した場合に、信号の送信元の端末に関わらず、信号の送信元のＭＡＣアドレスが全て電話アダプタのＭＡＣアドレスとなること（ケース１）、または、ＰＣ等が信号の送信元である場合には送信元のＭＡＣアドレスがＰＣ等のＭＡＣアドレスになること（ケース２）が考えられる。ケース１の場合、ＯＮＵは受信した信号をいずれのルート（サービスに応じたルート）に振り分ければよいのかを判断することができない。また、ケース２の場合、ＰＣ等のＭＡＣアドレスについてはＯＮＵが認知していないＭＡＣアドレスであるため、受信した信号を破棄してしまうことが考えられる。このように、ＯＮＵの１つの物理ポートに互いに異なるサービスに係る端末が接続された場合には、ＯＮＵにおいて適切なルートに信号を振り分けることができない。
【００４７】
上記課題を解決する構成として、本実施形態に係るＰＯＮシステム１は、ＯＬＴ１０とＯＮＵ５０とを有するＰＯＮシステムであって、ＯＮＵ５０に接続されると共に、第１のサービスに係る端末、及び、該第１のサービスとは異なる第２のサービスに係る端末が接続されたゲートウェイ端末（電話アダプタ１００）を介して、ＭＡＣアドレス及びＶＬＡＮ  ＩＤの少なくともいずれか一方を含む信号を受信する受信部１３と、受信部１３によって受信された信号の内容に基づき、該信号の送信元からの信号の振り分け先を決定する決定部１４と、を備え、決定部１４は、受信部１３によって受信された信号に、ゲートウェイ端末（電話アダプタ１００）を示すＭＡＣアドレスと第１のサービスに係る端末に関連付けられたＶＬＡＮ  ＩＤとが含まれている場合には、振り分け先を第１のサービスに係るルートに決定し、受信部１３によって受信された信号に、ＶＬＡＮ  ＩＤが含まれていない場合には、受信部１３によって受信された信号に含まれているＭＡＣアドレスに関わらず、振り分け先を第２のサービスに係るルートに決定する。
【００４８】
ＰＯＮシステム１によれば、ＯＮＵ５０に接続されたゲートウェイ端末（電話アダプタ１００）に第１のサービスに係る端末及び第２のサービスに係る端末が接続されている構成、すなわち、ＯＮＵ５０の１つの物理ポートに対してゲートウェイ端末（電話アダプタ１００）を介して互い異なるサービスの複数の端末が接続されている構成において、受信された信号に含まれるＭＡＣアドレス及びＶＬＡＮ  ＩＤに基づいて信号の振り分け先が決定される。具体的には、信号にゲートウェイ端末（電話アダプタ１００）を示すＭＡＣアドレスと第１のサービスに係る端末に関連付けられたＶＬＡＮ  ＩＤとが含まれている場合には振り分け先が第１のサービスに係るルートに決定される。このように、例えばＭＡＣアドレスが必ずゲートウェイ端末（電話アダプタ１００）のＭＡＣアドレスになる端末であって予めＶＬＡＮ  ＩＤに紐づけられる端末（例えば電話機１１０）については、ＭＡＣアドレス及びＶＬＡＮ  ＩＤに基づき、信号の送信元が当該端末であることが特定できるため、ＭＡＣアドレス及びＶＬＡＮ  ＩＤに基づいて信号の送信元を適切に判別し、当該端末からの信号を当該端末に係るサービスのルートに適切に振り分けることができる。また、ＭＡＣアドレス及びＶＬＡＮ  ＩＤを考慮することによって、予めＶＬＡＮ  ＩＤに関連付けている端末以外の端末（悪意のある端末）が接続されていないことを適切に判別することができ、ＯＮＵ５０〜第１のサービスに係る端末間の紐づけ（第１のサービスに係る端末の位置固定）を確実に行なうことができる。さらに、ＰＯＮシステム１では、信号にＶＬＡＮ  ＩＤが含まれていない場合には、ＭＡＣアドレスに関わらず振り分け先が第２のサービスに係るルートに決定される。例えば、ＰＣ等のデータ通信サービスに係る端末から送信された信号については、ゲートウェイ端末（電話アダプタ１００）の種類によって、該信号に含まれるＭＡＣアドレスがゲートウェイ端末（電話アダプタ１００）のＭＡＣアドレスになること、及び、該信号に含まれるＭＡＣアドレスが送信元であるＰＣ等の端末のＭＡＣアドレスになることの双方が考えられる。このため、このような信号については、ＭＡＣアドレスに基づきルートを決定することができないおそれがある。この点、このような信号を送信し得る端末についてはＶＬＡＮ  ＩＤに関連付けず（すなわち、該端末から送信された信号にはＶＬＡＮ  ＩＤが含まれない構成とし）、ＭＡＣアドレスを考慮せずにＶＬＡＮ  ＩＤが含まれないことをもって振り分け先を決定する（例えばデータ通信サービスに係るルートとする）ことにより、ＰＣ等の端末から送信された信号のように送信元のＭＡＣアドレスが一意に定まらない信号についても、当該端末に係るサービスのルートに適切に振り分けることができる。以上のように、本発明の一態様に係るＰＯＮシステム１によれば、ＯＮＵの１つの物理ポートに互いに異なるサービスに係る端末が接続されている場合において、信号の振り分けを適切に行うことができる。
【００４９】
決定部１４は、受信部１３によって受信された信号に、第１のサービスに係る端末に関連付けられていないＶＬＡＮ  ＩＤが含まれている場合には、該信号の送信元からの信号の転送を中止する。これにより、ＯＮＵ〜第１のサービスに係る端末間で紐づけを行いたい端末（例えば位置固定をしたい電話機）を用いる場合において、悪意のある端末が接続された場合、ＶＬＡＮ  ＩＤを管理するゲートウェイ端末（電話アダプタ１００）が故障した場合等において、信号の転送を中止することができる。すなわち、端末の位置固定が適切に行われていない可能性がある場合において信号が転送されることを防止することができる。
【００５０】
ＰＯＮシステム１においては、上述した第１のサービスとはＰＯＮシステムを利用した電話サービスであり、第２のサービスとはデータ通信サービスであり、ゲートウェイ端末は、電話機１１０に接続可能な電話差込口と、第２のサービスに係る端末であるデータ通信用の端末に接続可能なＬＡＮ差込口とを有する電話アダプタである。これにより、ＯＮＵ５０の１つの物理ポートに対し電話アダプタ１００を介して、電話サービスに係る端末である電話機１１０及びＰＣ等のデータ通信サービスに係る端末が接続されている構成において、これらのサービスを共存させて、信号の振り分けを適切に行うことができる。すなわち、図７に示されるように、ＰＯＮシステム１によれば、電話機１１０に係る信号については電話アダプタ１００を介して電話サービスフローに転送すると共に、ＰＣ１２０及びフェムトセル１３０に係る信号については電話アダプタ１００を介してデータ通信サービスフローに転送することができる。
【００５１】
ＰＯＮシステム１では、電話サービスに係る信号は、データ通信サービスに係る信号よりも優先的に転送される。これにより、ユーザにとって優先度が高いと考えられる電話サービスを適切に提供することができる。
【００５２】
以上、本実施形態に係るＰＯＮシステムについて説明してきたが、本発明はこれらに限定されるものではなく、種々の変形を適用することができる。また、今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。例えば、ＯＮＵ５０に接続された電話アダプタ１００に１台の電話機１１０が接続される構成（図２参照）を説明したが、図８に示されるように、電話アダプタ２００に複数の電話機１１０が接続されてもよい。図８の構成では、互いにＭＡＣアドレスが異なる複数の電話アダプタ２００がカスケード接続されており、各電話アダプタ２００に対して複数の電話機１１０が接続されている。このような構成を採用する場合、複数の電話アダプタ２００の複数のＭＡＣアドレスと電話機１１０のＶＬＡＮ  ＩＤとが紐づけて管理される。同一の電話アダプタ２００に接続される複数の電話機１１０のＶＬＡＮ  ＩＤは、互いに同一であってよいし、互いに異なっていてもよい。
【符号の説明】
【００５３】
１…ＰＯＮシステム、１０…ＯＬＴ（局側装置）、１３…受信部、１４…決定部、５０…ＯＮＵ（宅側装置）、５１…第１転送部、５２…第２転送部、１００，２００…電話アダプタ（ゲートウェイ端末）、１０１…モジュラージャック（電話差込口）、１０２，１０３…ＬＡＮ差込口、１１０…電話機、１２０…ＰＣ（データ通信用の端末）、１３０…フェムトセル（データ通信用の端末）。
【図１】
2020098976.tif 000003
【図２】
2020098976.tif 000004
【図３】
2020098976.tif 000005
【図４】
2020098976.tif 000006
【図５】
2020098976.tif 000007
【図６】
2020098976.tif 000008
【図７】
2020098976.tif 000009
【図８】
2020098976.tif 000010